(57)【要約】【課題】実包を薬室に装填する際に生じやすい装填不良を解消し、銃砲の目的外使用（不正使用）のための施錠機能としても利用できるライフル銃または散弾銃の薬室装填給弾機構を提供しようとするものである。【解決手段】ボルトアクション式のボルトによる薬室装填給弾機構を備えたライフル銃及び散弾銃において、銃身の薬室と銃本体のフレームとの間に設けた、ボルト先端外周上のボルトロック用ブロックの回転スペースに、ボルトロック用ブロックを収納する切欠部を備えた筒状スペーサを回転可能に取り付けたことを特徴とするライフル銃及び散弾銃の薬室装填給弾機構。【選択図】          図１
2005016907.tif 000002
【特許請求の範囲】
【請求項１】
ボルトアクション式のボルトによる薬室装填給弾機構を備えたライフル銃及び散弾銃において、銃身の薬室と銃本体のフレームとの間に設けた、ボルト先端外周上のボルトロック用ブロックの回転スペースに、ボルトロック用ブロックを収納する切欠部を備えた筒状スペーサを回転可能に取り付けたことを特徴とするライフル銃及び散弾銃の薬室装填給弾機構。
【請求項２】
ボルトロック用ブロックを収納する切欠部を設けた筒状スペーサが、内蔵した位置決めピンにより、ボルトの装填位置とロック位置において自由な回転を防止されていることを特徴とする請求項１に記載のライフル銃及びライフリング付き散弾銃の薬室装填給弾機構。
【請求項３】
ボルトロック用ブロックを収納する切欠部を設けた筒状スペーサを、鍵類を用いてボルトロック用ブロックとの正しいかみ合い位置から所定の角度回転させることにより、不正使用を防止する施錠機能を持たせたことを特徴とする請求項１に記載のライフル銃及びライフリング付き散弾銃の薬室装填給弾機構。
【請求項４】
筒状スペーサを施錠位置まで所定の角度回転させる鍵類が、筒状本体と、筒状本体の先端から所定の深さまで形成したスリ割りにより弾性を持たせた弾性片と、弾性片の先端外周に設けた疑似ブロックとを備え、施錠位置において、弾性片の弾性を利用して疑似ブロックを筒状スペーサの切欠部から引き抜き可能としたことを特徴とする請求項１ないし３のいずれかに記載のライフル銃及びライフリング付き散弾銃の薬室装填給弾機構。
【発明の詳細な説明】
【０００１】
【発明の属する技術分野】この発明は、ライフル銃（銃口に腔旋―ライフリング―を有する猟銃で、腔旋を有する部分が銃腔の長さの１／２を越えるもの…銃砲刀剣等取締法）やライフリング付き散弾銃等の薬室装填給弾機構に関し、実包を薬室に装填する際に生じやすい装填不良を解消し、銃砲の目的外使用（不正使用）のための施錠機能としても利用できるライフル銃または散弾銃の薬室装填給弾機構に関するものである。
【０００２】
【従来の技術】ライフル銃におけるボルトアクション式のボルトによる薬室装填給弾機構は、次のような構造を有している。
【０００３】第１のものは、図１１および図１２のように、ボルトアクション用のボルト５１の、レバー５３側の外周上にボルトロック用ブロック５５を設け、これを銃本体のフレーム内周に設けた反動受け５７で保持して、銃身の薬室内での火薬の爆発による負荷を受け止めるように構成されている。
しかしながら、上記爆発による負荷がボルト５１の先端部分にかかり、ボルト５１の前半分に金属疲労が集中しやすく、ボルト５１の耐久性が損なわれやすいという問題があった。
【０００４】そこで、先端の外周上にボルトロック用ブロックを設けたボルトが提案され、これに対応して薬室装填給弾機構も、図１３のように、銃身６５後部の薬室６７と接する銃本体６１のフレーム６３の開口端部にボルトロック用ブロックの回転スペース６９を形成して、ボルトが装填位置にきたときに、この回転スペース６９位置でボルトロック用ブロックが自由に回転できるように構成されている。
その際の弾丸の装填過程を図１４および図１５に示す。
【０００５】すなわち、銃本体６１のフレーム６３に弾倉７１（マガジン）が装着され、図１４のようにフレーム６３内に弾丸７３が押し出される。そこでボルト７５をレバー７７の操作により図１５のように前進させると、ボルト７５の先端が弾丸７３を押して、最終的には後述の図４（筒状スペーサは存しない）のように、銃身６５の所定位置に弾丸７３がセットされるのである。
【０００６】
【発明が解決しようとする課題】今日では素材の硬度、形状、バランス等によって図１６のように多くの種類の実包の弾丸７３がある。すなわち、その径や長さのみならず、頭部の形状等も種々雑多である。
【０００７】ところが、前述のように弾丸７３はその種類によってその径や長さ、頭部の形状等が異なるものであるから、回転スペース６９が設けられていると、図１７および図１８のようにライフル実包の弾丸７３−１ないし散弾実包の弾丸７３−２の先端が、回転スペース６９の前端に引っ掛かったり、そのまま無理やり装填すると図１９のように弾丸７３の先端が変形してしまうという問題があった。そのような問題は、弾丸７３の先端に鉛を用いている狩猟用弾丸−ソフトポイント実包−において顕著である。
【０００８】また図２０のように、弾丸７３を弾倉７１の適宜位置から送り出すための弾倉ストッパ７９が長すぎると弾丸７３が弾倉７１から外れなかったり、図２１のように短いと弾丸７３が弾倉７１から早く上がりすぎてマガジンフロアで遊んでしまい、装填トラブルが生じたり、同様に弾丸７３そのものが短い場合も同じ原因で装填トラブルが生じてしまうという問題があった。
【０００９】とはいえ、図２２のように回転スペース６９をボルトロック用ブロックの部分のみを残して埋めてしまうとボルトアクションが行なえなくなり、またボルトロック用ブロックの回転部分を開けた状態で埋めた場合には、図１７ないし図２０の例のような欠点が残ってしまう。
【００１０】この発明は、従来例の上記欠点を解消しようとするものであり、実包を薬室に装填する際に生じやすい装填不良を解消し、銃砲の目的外使用（不正使用）のための施錠機能としても利用できるライフル銃または散弾銃の薬室装填給弾機構を提供しようとするものである。
【００１１】
【課題を解決するための手段】すなわちこの発明のライフル銃及び散弾銃の薬室装填給弾機構は、ボルトアクション式のボルトによる薬室装填給弾機構を備えたライフル銃及び散弾銃において、銃身の薬室と銃本体のフレームとの間に設けた、ボルト先端外周上のボルトロック用ブロックの回転スペースに、ボルトロック用ブロックを収納する切欠部を備えた筒状スペーサを回転可能に取り付けたことを特徴とするものである。
【００１２】この発明のライフル銃及び散弾銃の薬室装填給弾機構は、ボルトロック用ブロックを収納する切欠部を設けた筒状スペーサが、内蔵した位置決めピンにより、ボルトの装填位置とロック位置において自由な回転を防止されていることをも特徴とするものである。
【００１３】この発明のライフル銃及び散弾銃の薬室装填給弾機構は、ボルトロック用ブロックを収納する切欠部を設けた筒状スペーサを、鍵類を用いてボルトロック用ブロックとの正しいかみ合い位置から所定の角度回転させることにより、不正使用を防止する施錠機能を持たせたことをも特徴とするものである。
【００１４】この発明のライフル銃及び散弾銃の薬室装填給弾機構は、筒状スペーサを施錠位置まで所定の角度回転させる鍵類が、筒状本体と、筒状本体の先端から所定の深さまで形成したスリ割りにより弾性を持たせた弾性片と、弾性片の先端外周に設けた疑似ブロックとを備え、施錠位置において、弾性片の弾性を利用して疑似ブロックを筒状スペーサの切欠部から引き抜き可能としたことをも特徴とするものである。
【００１５】この発明は以上のように、銃身の薬室と銃本体のフレームとの間に設けた、ボルト先端外周上のボルトロック用ブロックの回転スペースに、ボルトロック用ブロックを収納する切欠部を備えた筒状スペーサを回転可能に取り付けたので、実包を薬室に装填する際に生じやすい装填不良が完全に解消され、しかも銃砲の目的外使用（不正使用）のための施錠機能としても有効に利用できるライフル銃または散弾銃の薬室装填給弾機構を提供することができるようになった。
【００１６】
【発明の実施の形態】以下、この発明のライフル銃及びライフリング付き散弾銃の薬室装填給弾機構の実施の形態を、図面に基づいて詳細に説明する。
【００１７】図１はこの発明のライフル銃の薬室装填給弾機構の１実施例を示す概略断面図、図２は弾丸を装填中のライフル銃の薬室装填給弾機構の要部を示す概略断面図、図３はその際の筒状スペーサとボルトとの連結方法を示す斜視図、図４は弾丸を装填し終わった状態のライフル銃の薬室装填給弾機構の要部を示す概略断面図、図５はその際の筒状スペーサとボルトとの連結方法を示す斜視図、図６は筒状スペーサに設けた仮止用ピンの拡大断面図、図７は上記仮止用ピンの位置を示す概略図、図８は筒状スペーサを施錠位置まで所定の角度回転させるための鍵類を示す斜視図、図９はその端面図、図１０は筒状スペーサとボルトとの連結方法の他の例を示す斜視図である。
【００１８】図１に示すボルトアクション式のボルトによる薬室装填給弾機構を備えたライフル銃及び散弾銃において、ライフリング（図示せず）を銃腔内に備えた銃身１は、銃本体のフレーム５にその後端をネジ式に取り付けられている。そして、銃本体のフレーム５端部において、銃身１後部の薬室３との間には、銃本体のフレーム５内を進退するボルト７の先端外周上に設けたボルトロック用ブロック９の回転スペース１１が、リング状に形成されている。またこの回転スペース１１には筒状スペーサ１３がはめ込まれ、回転可能に保持されている。筒状スペーサ１３は、その内周適所にボルトロック用ブロック９を収納する切欠部１５が少なくとも１対形成されている。
【００１９】図１において１７は、ボルト７の後部に設けたボルトアクション用のレバー、１９は銃本体のフレーム５内を進退するボルト７と上記回転スペース１１との間に装着自在とした弾倉で、上端開口部には所定の長さに弾倉ストッパ２１が取り付けられている。また２３はトリガ、２５，２７はそれぞれライフル実包の弾丸ないし散弾実包の弾丸である。
【００２０】上記実施例における具体的な筒状スペーサ１３とボルト７との動作を、図２ないし図５により説明する。図１の状態からボルト７をレバー１７を操作して前進させると、図２のように、ボルト７は弾丸２５を銃身１の薬室３に向けて押し出す。その際、図３のように、ボルト７のボルトロック用ブロック９の向きと筒状スペーサ１３の切欠部１５の向きはほぼ水平で一致しており、ボルトロック用ブロック９を切欠部１５にはめ込むことにより、ボルト７は筒状スペーサ１３に係合して一体となる。図４のように、ボルト７で弾丸２５を最後まで銃身１に向けて押し込んだ後でレバー１７を倒すと、ボルト７は筒状スペーサ１３を保持した状態で回転し、図５のように、ボルト７のボルトロック用ブロック９の向きと筒状スペーサ１３の切欠部１５の向きはほぼ垂直になっている。
【００２１】上記ボルトロック用ブロック９を収納する切欠部１５を設けた筒状スペーサ１３は、図６および図７に示すように、内蔵した位置決めピン２９により、ボルト７の装填位置とロック位置において自由な回転を防止されている。すなわち、筒状スペーサ１３の薬室３側の端面には、位置決めピン２９が出没自在に取り付けられており、内蔵したコイルバネ３１で常時突き出す方向に付勢されている。他方、これと対向するフレーム５の端面には、上記位置決めピン２９の先端を保持する小孔３３が、ボルト７の装填位置とロック位置に対応するよう、それぞれ形成されている。
【００２２】したがって、ボルト７で弾丸２５を最後まで銃身１に向けて押し込んだ後でレバー１７を倒すと、ボルト７のボルトロック用ブロック９は図２の水平位置から、位置決めピン２９と小孔との係合を解いて筒状スペーサ１３を保持した状態で回転する。そして、図４のようにボルト７のボルトロック用ブロック９の向きと筒状スペーサ１３の切欠部１５の向きはほぼ垂直になり、その位置の小孔に位置決めピン２９がはめ込まれ、筒状スペーサ１３は振動等では簡単には回転しなくなる。これで発射準備が完了する。なお図中３５は、筒状スペーサ１３の端部に設けたガス抜き用の孔、３７は筒状スペーサ１３の端面に設けたガス抜き用の溝である。
【００２３】この発明においては、ボルトロック用ブロック９を収納する切欠部１５を設けた筒状スペーサ１３を、鍵類を用いてボルトロック用ブロック９との正しいかみ合い位置から所定の角度回転させることにより、不正使用を防止する施錠機能を持たせたことをも特徴としている。
【００２４】すなわち、筒状スペーサ１３は鍵類３９を用いて施錠位置まで所定の角度回転させるようになっている。この鍵類３９は、図８および図９に示すように、筒状スペーサ１３内径に対応した径の筒状本体４１と、筒状本体４１の先端から所定の深さまでスリ割り４３を形成して弾性を持たせた各弾性片４５と、弾性片４５の先端外周に設けた疑似ブロック４７とを備えている。そして、ボルトロック用ブロック９を収納するよう位置決めされた切欠部１５に、鍵類３９の疑似ブロック４７をはめ込んで筒状スペーサ１３を施錠位置まで回転させ、この施錠位置において、弾性片４５の弾性を利用して疑似ブロック４７を筒状スペーサ１３の切欠部１５から引き抜くことにより、筒状スペーサ１３はボルト７のボルトロック用ブロック９が切欠部１５と合わなくなるので、ボルト７による弾丸２５の薬室３への送り込みができなくなる。
【００２５】このように筒状スペーサ１３に施錠機能を持たせたことにより、銃砲の目的外使用を防止するための施錠機構を特別に設ける必要がなく、鍵類３９を用意するだけで簡単に施錠できるようになる。
【００２６】上記筒状スペーサ１３の素材としては、鉄の成形もしくは加工品、アルミその他の軽金属、それらの合金、樹脂等が使用可能である。ただし、アルカリ着色によって銃砲の黒染めを行なう都合上、鉄かステンレスを素材として用いることが望ましい。
もちろん、上記筒状スペーサ１３には特別の負荷がかかることはなく、素材に厳密な精度や強度を要求されることはない。また上記筒状スペーサ１３は既存の銃砲に取り付けることができる。
【００２７】図１０はこの発明の筒状スペーサの他の実施例を示すもので、筒状スペーサ１３’の切欠部１５’、およびボルト７’のボルトロック用ブロック９’のそれぞれを、各周面上に一定の間隔で３個形成したものである。同様にそれらの数を４個以上とすることも必要に応じて行なうことができる。
【００２８】
【発明の効果】この発明は以上のように、銃身の薬室と銃本体のフレームとの間に設けた、ボルト先端外周上のボルトロック用ブロックの回転スペースに、ボルトロック用ブロックを収納する切欠部を備えた筒状スペーサを回転可能に取り付けたので、実包を薬室に装填する際に生じやすい装填不良が完全に解消され、しかも銃砲の目的外使用（不正使用）のための施錠機能としても有効に利用できるライフル銃または散弾銃の薬室装填給弾機構を提供することができるようになった。
【図面の簡単な説明】
【図１】この発明のライフル銃の薬室装填給弾機構の１実施例を示す概略断面図である。
【図２】弾丸を装填中のライフル銃の薬室装填給弾機構の要部を示す概略断面図である。
【図３】その際の筒状スペーサとボルトとの連結方法を示す斜視図である。
【図４】弾丸を装填し終わった状態のライフル銃の薬室装填給弾機構の要部を示す概略断面図である。
【図５】その際の筒状スペーサとボルトとの連結方法を示す斜視図である。
【図６】筒状スペーサに設けた仮止用ピンの拡大断面図である。
【図７】上記仮止用ピンの位置を示す概略図である。
【図８】筒状スペーサを施錠位置まで所定の角度回転させるための鍵類を示す斜視図である。
【図９】その端面図である。
【図１０】筒状スペーサとボルトとの連結方法の他の例を示す斜視図である。
【図１１】従来のボルトのボルトロック用ブロックの位置を示す斜視図である。
【図１２】その使用状態の側面図である。
【図１３】従来の回転スペースを備えたライフル銃の薬室装填給弾機構の１例を示す概略断面図である。
【図１４】弾丸を装填中の、回転スペースを備えたライフル銃の薬室装填給弾機構を示す概略側面図である。
【図１５】その際のボルトによる弾丸の押し出し操作を示す概略側面図である。
【図１６】各種の弾丸の例を示す側面図である。
【図１７】回転スペースを備えたライフル実包用のライフル銃の薬室装填給弾機構におけるトラブルの例を示す概略側面図である。
【図１８】散弾実包用の散弾銃の薬室装填給弾機構におけるトラブルの例を示す概略側面図である。
【図１９】トラブル発生時の実包の状況を示す概略断面図である。
【図２０】長い弾倉ストッパの例におけるトラブルの例を示す概略図である。
【図２０】短い弾倉ストッパの例におけるトラブルの例を示す概略図である。
【図２２】筒状スペーサ部分を埋めた失敗例を示す概略図である。
【符号の説明】
１  銃身
３  薬室
５  銃本体のフレーム
７  ボルト
９  ボルトロック用ブロック
１１  回転スペース
１３  筒状スペーサ
１５  切欠部
１７  ボルトアクション用のレバー
１９  弾倉
２１  弾倉ストッパ
２３  トリガ
２５，２７  弾丸
２９  位置決めピン
３１  コイルバネ
３３  小孔
３５  ガス抜き用の孔
３７  ガス抜き用の溝
３９  鍵類
４１  筒状本体
４３  スリ割り
４５  弾性片
４７  疑似ブロック
７’  ボルト
９’  ボルトロック用ブロック
１３’  筒状スペーサ
１５’  切欠部
【図１】
2005016907.tif 000003
【図２】
2005016907.tif 000004
【図３】
2005016907.tif 000005
【図４】
2005016907.tif 000006
【図５】
2005016907.tif 000007
【図６】
2005016907.tif 000008
【図７】
2005016907.tif 000009
【図８】
2005016907.tif 000010
【図９】
2005016907.tif 000011
【図１０】
2005016907.tif 000012
【図１１】
2005016907.tif 000013
【図１２】
2005016907.tif 000014
【図１３】
2005016907.tif 000015
【図１４】
2005016907.tif 000016
【図１５】
2005016907.tif 000017
【図１６】
2005016907.tif 000018
【図１７】
2005016907.tif 000019
【図１８】
2005016907.tif 000020
【図１９】
2005016907.tif 000021
【図２０】
2005016907.tif 000022
【図２１】
2005016907.tif 000023
【図２２】
2005016907.tif 000024
【手続補正書】
【提出日】平成15年7月16日(2003.7.16)
【手続補正１】
【補正対象書類名】明細書
【補正対象項目名】図面の簡単な説明
【補正方法】変更
【補正の内容】
【図面の簡単な説明】
【図１】この発明のライフル銃の薬室装填給弾機構の１実施例を示す概略断面図である。
【図２】弾丸を装填中のライフル銃の薬室装填給弾機構の要部を示す概略断面図である。
【図３】その際の筒状スペーサとボルトとの連結方法を示す斜視図である。
【図４】弾丸を装填し終わった状態のライフル銃の薬室装填給弾機構の要部を示す概略断面図である。
【図５】その際の筒状スペーサとボルトとの連結方法を示す斜視図である。
【図６】筒状スペーサに設けた仮止用ピンの拡大断面図である。
【図７】上記仮止用ピンの位置を示す概略図である。
【図８】筒状スペーサを施錠位置まで所定の角度回転させるための鍵類を示す斜視図である。
【図９】その端面図である。
【図１０】筒状スペーサとボルトとの連結方法の他の例を示す斜視図である。
【図１１】従来のボルトのボルトロック用ブロックの位置を示す斜視図である。
【図１２】その使用状態の側面図である。
【図１３】従来の回転スペースを備えたライフル銃の薬室装填給弾機構の１例を示す概略断面図である。
【図１４】弾丸を装填中の、回転スペースを備えたライフル銃の薬室装填給弾機構を示す概略側面図である。
【図１５】その際のボルトによる弾丸の押し出し操作を示す概略側面図である。
【図１６】各種の弾丸の例を示す側面図である。
【図１７】回転スペースを備えたライフル実包用のライフル銃の薬室装填給弾機構におけるトラブルの例を示す概略側面図である。
【図１８】散弾実包用の散弾銃の薬室装填給弾機構におけるトラブルの例を示す概略側面図である。
【図１９】トラブル発生時の実包の状況を示す概略断面図である。
【図２０】長い弾倉ストッパの例におけるトラブルの例を示す概略図である。
【図２１】短い弾倉ストッパの例におけるトラブルの例を示す概略図である。
【図２２】筒状スペーサ部分を埋めた失敗例を示す概略図である。
【符号の説明】
１  銃身
３  薬室
５  銃本体のフレーム
７  ボルト
９  ボルトロック用ブロック
１１  回転スペース
１３  筒状スペーサ
１５  切欠部
１７  ボルトアクション用のレバー
１９  弾倉
２１  弾倉ストッパ
２３  トリガ
２５，２７  弾丸
２９  位置決めピン
３１  コイルバネ
３３  小孔
３５  ガス抜き用の孔
３７  ガス抜き用の溝
３９  鍵類
４１  筒状本体
４３  スリ割り
４５  弾性片
４７  疑似ブロック
７’  ボルト
９’  ボルトロック用ブロック
１３’  筒状スペーサ
１５’  切欠部